(57)【要約】【課題】プラスチックフィルムによって製品を包装する包装装置において、薄い製品であっても、それを支障なく包装する。【解決手段】プラスチックフィルム１が支持台２上に供給され、製品１１がプラスチックフィルム上に供給される。さらに、受け板１２が製品上に移動し、プラスチックフィルムが製品のまわりに巻き付けられ、その両側縁が受け板上で重ね合わされる。さらに、ヒートシールバー２３が受け板に向かって下降し、プラスチックフィルムがヒートシールバーと受け板間に挟み付けられ、ヒートシールバーによってプラスチックフィルムがヒートシールされる。【選択図】図６
2004262535.tif 000002
【特許請求の範囲】
【請求項１】
プラスチックフィルムを支持台上に供給するプラスチックフィルム供給機構と、
製品を前記プラスチックフィルム上に供給する製品供給機構と、
受け板を前記製品上に移動させる受け板移動機構と、
前記プラスチックフィルムを前記製品のまわりに巻き付け、その両側縁を前記受け板上で重ねあわせるプラスチックフィルム巻き付け機構と、
ヒートシールバーを前記受け板に向かって下降させ、前記プラスチックフィルムを前記ヒートシールバーと受け板間に挟み付け、前記ヒートシールバーによって前記プラスチックフィルムをヒートシールするヒートシールバー駆動機構とからなる包装装置。
【請求項２】
前記支持台がスプリングで弾性支持され、前記プラスチックフィルム巻き付け機構に一対の折込板が使用され、前記各折込板が前記支持台の両側に配置されており、受け板昇降機構によって前記受け板が下降し、前記受け板によって前記製品、包装フィルムおよび支持台が押し下げられ、それにともない、前記プラスチックフィルムが前記折込板に案内され、前記製品の両側面に沿って折り曲げられ、その後、折込板駆動機構によって前記折込板が駆動され、前記各折込板が前記プラスチックフィルムおよび製品に押し付けられ、その上面に沿って前進し、前記プラスチックフィルムが前記製品のまわりに巻き付けられるようにしたことを特徴とする請求項１に記載の装置。
【請求項３】
前記プラスチックフィルムのヒートシール後、前記受け板が水平方向に移動し、受け板によって前記プラスチックフィルムおよび製品が吊られ、取り出されるようにしたことを特徴とする請求項１または２に記載の装置。
【発明の詳細な説明】
【０００１】
【産業上の利用分野】
この発明は、プラスチックフィルムによって製品を包装する包装装置に関するものである。
【０００２】
【従来技術とその問題点】
これまでに、プラスチックフィルムによって製品を包装する包装装置として種々の形式のものが提案されている。たとえば、特開２００２−２２５９２４号公報（特許文献１）に記載されているものがそれである。同公報の装置では、プッシャによって製品が押し出され、製品がプラスチックフィルムを横切って前進し、製品によってプラスチックフィルムが引っ張られ、供給され、プラスチックフィルムが製品のまわりに巻き付けられ、ヒートシールバーによってプラスチックフィルムがヒートシールされる。これによって製品が包装されるものである。
【０００３】
しかしながら、同公報の装置を使用することができるのは高さのある厚い製品に限られる。薄い製品の場合、それをプラスチックフィルムを横切って前進させ、製品によってプラスチックフィルムを引っ張り、供給することは困難であり、プラスチックフィルムを製品のまわりに巻き付け、ヒートシールバーによってそれをヒートシールすることができず、同公報の装置によって製品を包装することはできない。したがって、薄い製品であっても、それを包装することができる装置の開発が強く要望されている。
【０００４】
【特許文献１】
特開２００２−２２５９２４号公報
【０００５】
【発明の目的】
したがって、この発明は、プラスチックフィルムによって製品を包装する包装装置において、薄い製品であっても、それを支障なく包装することを目的としてなされたものである。
【０００６】
【発明の構成】
この発明によれば、プラスチックフィルムが支持台上に供給され、製品がプラスチックフィルム上に供給される。さらに、受け板が製品上に移動し、プラスチックフィルムが製品のまわりに巻き付けられ、その両側縁が受け板上で重ねあわされる。さらに、ヒートシールバーが受け板に向かって下降し、プラスチックフィルムがヒートシールバーと受け板間に挟み付けられ、ヒートシールバーによってプラスチックフィルムがヒートシールされる。
【０００７】
好ましい実施例では、支持台がスプリングで弾性支持され、プラスチックフィルム巻き付け機構に一対の折込板が使用され、各折込板が支持台の両側に配置される。さらに、受け板昇降機構によって受け板が下降する。したがって、受け板によって製品、プラスチックフィルムおよび支持台が押し下げられ、それにともない、プラスチックフィルムが折込板に案内され、製品の両側面に沿って折り曲げられる。その後、折込板駆動機構によって折込板が駆動され、各折込板がプラスチックフィルムおよび製品に押し付けられ、その上面に沿って前進し、プラスチックフィルムが製品のまわりに巻き付けられる。
【０００８】
さらに、プラスチックフィルムのヒートシール後、受け板が水平方向に移動し、受け板によってプラスチックフィルムおよび製品が吊られ、取り出される。
【０００９】
【実施例の説明】
以下、この発明の実施例を説明する。
【００１０】
図１はこの発明にかかる包装装置を示す。この装置はプラスチックフィルム１を使用する形式のもので、プラスチックフィルム１はポリエチレン、ポリプロピレンなどの軟質フィルムからなり、支持台２上に供給される。この実施例では、プラスチックフィルム供給機構にアーム３が使用され、一対の真空パッド４がアーム３に設けられ、間隔を置いて配置されており、送りローラ５によってプラスチックフィルム１が送られ、これが供給ロール６から引き出され、真空パッド４に導かれる。さらに、アーム３がキャリジ７に支持され、シリンダがキャリジ７に連結されており、図５に示すように、シリンダによってキャリジ７およびアーム３が移動し、真空パッド４がプラスチックフィルム１に向かって前進し、真空ポンプによって真空パッド４が真空排気され、プラスチックフィルム１が真空パッド４に吸着される。その後、真空パッド４と送りローラ５間において、カッタ８によってプラスチックフィルム１がカットされる。さらに、シリンダ９がキャリジ７に取り付けられ、アーム３に連結されており、プラスチックフィルム１のカット後、シリンダ９がアーム３に作用し、図６に示すように、アーム３が支軸１０のまわりを揺動し、プラスチックフィルム１が支持台２上に供給される。
【００１１】
さらに、製品１１がプラスチックフィルム１上に供給され、受け板１２が製品１１上に移動する。この実施例では、図２に示すように、製品供給機構として供給台１３およびプッシャ１４が使用され、アーム３の支軸１０に平行の方向において、供給台１３およびプッシャ１４が支持台２の一方側に配置されており、製品１１が供給台１３上に載せられる。さらに、供給台１３にスロットが形成され、そのスロットにプッシャ１４が挿入されており、シリンダ１５によってプッシャ１４が駆動され、プッシャ１４が供給台１３のスロットに沿って前進する。したがって、プッシャ１４によって製品１１が押し出され、支持台２上において、製品１１がプラスチックフィルム１上に供給される。シリンダ１５はロッドレスシリンダからなる。さらに、図３に示すように、受け板移動機構としてシリンダ１６が使用され、アーム３の支軸１０に平行の方向において、シリンダ１６が支持台２の他方側に配置され、受け板１２に連結されており、シリンダ１６によって受け板１２が移動する。受け板１２はその長さ方向に移動し、前進し、製品１１上に達する。その移動方向は水平方向であり、製品１１の長さ方向である。シリンダ１６もロッドレスシリンダからなる。その後、真空パッド４の吸着作用が解除され、製品１１およびプラスチックフィルム１が支持台２上に支持され、図７に示すように、アーム３がもとの位置に揺動する。
【００１２】
その後、プラスチックフィルム１が製品１１のまわりに巻き付けられ、その両側縁が受け板１２上で重ね合わされる。この実施例では、スピンドル１７が支持台２に設けられ、スリーブ１８に挿入され、スプリング１９が支持台２とスリーブ１８間に設けられており、支持台２がスプリング１９で弾性支持されている。さらに、プラスチックフィルム巻き付け機構に一対の折込板２０が使用され、アーム３の支軸１０に直角の方向において、各折込板２０が支持台２の両側に配置されている。さらに、受け板昇降機構としてシリンダ２１が使用され、これが受け板１２とシリンダ１６間に設けられ、シリンダ２１によってシリンダ１６と受け板１２が連結されており、受け板１２はシリンダ２１に支持され、シリンダ２１はシリンダ１６に支持されている。したがって、受け板１２が製品１１上に移動するとき、シリンダ１６によってシリンダ２１および受け板１２が移動するものである。さらに、折込板駆動機構に一対のシリンダ２２が使用されており、各シリンダ２２が各折込板２０に連結され、折込板２０はシリンダ２２に支持されている。
【００１３】
そして、アーム３の揺動後、シリンダ２１によって受け板１２が下降する。したがって、受け板１２によって製品１１、プラスチックフィルム１および支持台２が押し下げられ、スピンドル１７がスリーブ１８に押し込まれ、スプリング１９によってそれが吸収される。それにともない、プラスチックフィルム１が折込板２０に係合し、案内され、製品１１の両側面に沿って折り曲げられる。その後、シリンダ２２によって折込板２０が駆動され、各折込板２０がプラスチックフィルム１および製品１１に押し付けられ、その上面に沿って移動し、前進する。したがって、プラスチックフィルム１が製品１１のまわりに巻き付けられ、その両側縁が受け板１２上で重ね合わされるものである。折込板２０は摩擦係数の高い材料からなる。したがって、製品１１のまわりに巻き付けられるとき、プラスチックフィルム１が折込板２０に引っ張られ、緊密に巻き付けられる。
【００１４】
その後、ヒートシールバー２３が受け板１２に向かって下降する。この実施例では、シリンダ２４がヒートシールバー２３に連結され、ヒートシールバー２３がシリンダ２４に支持されており、シリンダ２４によってヒートシールバー２３が下降する。したがって、プラスチックフィルム１がヒートシールバー２３と受け板１２間に挟み付けられ、プラスチックフィルム１の両側縁の部分において、ヒートシールバー２３によってプラスチックフィルム１がヒートシールされる。
【００１５】
その後、図８に示すように、ヒートシールバー２３がもとの位置に上昇し、折込板２０ももとの位置に後退する。その後、シリンダ２１によって受け板１２が上昇し、受け板１２によってプラスチックフィルム１および製品１１が引き上げられる。したがって、スプリング１９がスピンドル１７に作用し、支持台２はもとの位置に押し上げられる。さらに、その後、シリンダ１６によってシリンダ２１および受け板１２が移動し、受け板１２は水平方向に移動し、もとの位置まで後退する。したがって、受け板１２によってプラスチックフィルム１および製品１１が吊られ、取り出される。この実施例では、受け板１２が一対のストッパ２５間を通り、図３の鎖線の位置まで後退する。これにともない、製品１１がストッパ２５に係合し、受け板１２がプラスチックフィルム１から引き抜かれ、製品１１は取り出し台２６上に支持される。したがって、取り出し台２６上において、製品１１を適宜取り出すことができる。
【００１６】
したがって、図９に示すように、プラスチックフィルム１によって製品１１を包装することができるものである。図９のものでは、製品１１は複数枚のカードからなり、互いに重ね合わされている。さらに、プラスチックフィルム１に比較的小さい幅のものが使用され、その幅は製品１１の長さよりも小さい。そして、プラスチックフィルム１が製品１１の中央部分に巻き付けられ、これによって製品１１が包装されている。図１０に示すように、プラスチックフィルム１に比較的大きい幅のものを使用し、その幅を製品１１の長さに対応させ、製品１１をその全長にわたって被覆し、包装することもできる。製品１１の長さ方向において、プラスチックフィルム１が製品１１の両端を越え、筒状に張り出すようにすることもできる。
【００１７】
【発明の効果】
以上説明したように、この発明によれば、プラスチックフィルム１によって製品１１を包装することができる。しかも、支持台２上において、製品１１をプラスチックフィルム１上に供給すればよく、前記従来のように、製品をプラスチックフィルムを横切って前進させ、製品によってプラスチックフィルムを引っ張り、供給する必要はない。したがって、薄い製品１１であっても、それを支障なく包装することができ、所期の目的を達成することができるものである。
【図面の簡単な説明】
【図１】この発明の実施例を示す説明図である。
【図２】図１の装置の正面図である。
【図３】図２の装置の平面図である。
【図４】図２の装置の側面図である。
【図５】図１の装置の包装工程を示す説明図である。
【図６】図５の装置の次の工程を示す説明図である。
【図７】図６の装置の次の工程を示す説明図である。
【図８】図７の装置の次の工程を示す説明図である。
【図９】図１の装置で包装された製品を示す斜視図である。
【図１０】他の実施例を示す斜視図である。
【符号の説明】
１  プラスチックフィルム
２  支持台
３  アーム
９  シリンダ
１１  製品
１２  受け板
１４  プッシャ
１５  シリンダ
１６  シリンダ
１９  スプリング
２１  シリンダ
【図１】
2004262535.tif 000003
【図２】
2004262535.tif 000004
【図３】
2004262535.tif 000005
【図４】
2004262535.tif 000006
【図５】
2004262535.tif 000007
【図６】
2004262535.tif 000008
【図７】
2004262535.tif 000009
【図８】
2004262535.tif 000010
【図９】
2004262535.tif 000011
【図１０】
2004262535.tif 000012